(57)【要約】【課題】構造的な改良をせずに、乗りかごの運転中に気流の乱れによって生じる騒音を効果的に低減する。【解決手段】昇降路１１０内を昇降動作する乗りかご１１１のフェースプレート１１５に複数の気流発生装置１０ａ，１０ｂ，１０ｃ…を設けておく。これらの気流発生装置１０ａ，１０ｂ，１０ｃ…は一方向に誘導噴流１６を発生するものであり、その発生向きを変えて配置される。そして、乗りかご１１１の運転状態に応じて気流発生装置１０ａ，１０ｂ，１０ｃ…を選択的に駆動し、運転中に気流の乱れによって生じる騒音を低減する。【選択図】      図３
2010155693.tif 000002
【特許請求の範囲】
【請求項１】
昇降路内を昇降動作する乗りかごと、
この乗りかごに設けられ、各階の乗場に着床したときに開閉動作するかごドアと、
上記各階の乗場に設けられ、上記かごドアに係合して開閉動作する乗場ドアと、
上記かごドアの付近または上記乗場ドアの付近に設置され、一方向に気流を発生する複数の気流発生装置と、
上記乗りかごの運転状態に応じて上記各気流発生装置を選択的に駆動する駆動制御手段と
を具備したことを特徴とするエレベータ装置。
【請求項２】
上記各気流発生装置は、上記乗りかごの上昇方向と下降方向に気流を発生させるように、気流発生方向の向きを交互に変えて配置されていることを特徴とする請求項１記載のエレベータ装置。
【請求項３】
上記各気流発生装置は、格子状に配置されており、列単位で気流発生方向の向きを交互に変えて配置されていることを特徴とする請求項２記載のエレベータ装置。
【請求項４】
上記駆動制御手段は、上記かごドアと上記乗場ドアの開閉時に、上記各気流発生装置の中で気流発生方向が上記乗りかごの下降方向に向けられた気流発生装置を駆動することを特徴とする請求項２記載のエレベータ装置。
【請求項５】
上記駆動制御手段は、上記乗りかごが下降方向に走行しているときに、上記各気流発生装置の中で気流発生方向が上記乗りかごの上昇方向に向けられた気流発生装置を駆動することを特徴とする請求項２記載のエレベータ装置。
【請求項６】
上記駆動制御手段は、上記乗りかごが上昇方向に走行しているときに、上記各気流発生装置の中で気流発生方向が上記乗りかごの下降方向に向けられた気流発生装置を駆動することを特徴とする請求項２記載のエレベータ装置。
【請求項７】
上記各気流発生装置は、少なくとも上記乗りかごの上昇方向と下降方向を含む各方向に気流を発生させるように、それぞれに気流発生方向の向きを変えて配置されていることを特徴とする請求項１記載のエレベータ装置。
【請求項８】
上記各気流発生装置は、それぞれに気流発生方向を外側に向けて放射状に気流を発生させるように円弧状に配置されていることを特徴とする請求項７記載のエレベータ装置。
【請求項９】
上記かごドアの付近または上記乗場ドアの付近の騒音のレベルを測定する測定手段を備え、
上記駆動制御手段は、上記乗りかごの走行中に上記各気流発生装置の気流発生量を個々に変えながら複数のパターンで駆動し、そのときに上記測定手段によって測定された騒音のレベルに基づいて上記各パターンの中で最も騒音低減効果のあったパターンを選出し、そのパターンで最終的に上記各気流発生装置を駆動するように設定することを特徴とする請求項７記載のエレベータ装置。
【請求項１０】
上記駆動制御手段は、上記かごドアと上記乗場ドアの開閉時に、上記各気流発生装置の中で気流発生方向が上記乗りかごの下降方向に向けられた気流発生装置を駆動することを特徴とする請求項７記載のエレベータ装置。
【発明の詳細な説明】
【技術分野】
【０００１】
本発明は、気流発生装置を備えたエレベータ装置に関する。
【背景技術】
【０００２】
エレベータの乗りかごは、ロープを介して巻上機に吊り下げられており、巻上機の回転により昇降路内を上下に昇降動作する。乗りかごが各階の乗場に着床すると、かごドアが当該乗場に設けられた乗場ドアに係合して開閉動作する。
【０００３】
通常、乗りかご側の敷居と乗場側の敷居との隙間は、３０ｍｍ程度で設計されている。この隙間をできるだけ小さくすることで、物が昇降路内に落ちることを防止する。また、乗りかごと乗場の下には、それぞれに板状のフェースプレートが取り付けられており、フェースプレート間の間隔も落下防止のためにできるだけ小さく設計されている。
【０００４】
ところで、昇降路は建築物の最下階から最上階までの抜き抜け構造となっているため、その中では上昇気流が発生していることが多い。
【０００５】
昇降路内に上昇気流が発生していると、乗りかごが各階の乗場に着床してドアを開閉したときに、空気の逃げ場ができて、そこに上昇気流が流れ込む。その際、乗りかご側フェースプレートと乗場側フェースプレートとの隙間に上昇気流が増速して流れ込み、笛吹き音のような騒音が発生する。また、フェースプレート間から吹き出した上昇気流が乗場で出入りしている乗客に当たって不快感を与える。
【０００６】
一方、乗りかごの走行中においても、乗りかごが乗場に差し掛かったときに、乗りかご側フェースプレートと乗場側フェースプレートとの隙間に気流が増速して流れ込むため、かごドアと乗場ドアの周辺で乱気流が発生する。この乱気流により、かごドアと乗場ドアが加振されて騒音が発生する。また、圧力変動が生じて、所謂「バフ音」と呼ばれる空力騒音が発生することがある。
【０００７】
このような騒音の問題に対し、例えばドアを遮音構造にしたり、ドアのすき間を密閉化させるなどの対策が採られている。また、できるだけ乗りかご周りに乱流を生じさせないように、フェースプレートに風通し用の多数の貫通孔を設けたり、乗りかごの先端部に整風カバーを取り付けるなどの対策が採られている（例えば、特許文献１参照）。
【特許文献１】特開平４−３３３４８６号公報
【発明の開示】
【発明が解決しようとする課題】
【０００８】
しかしながら、上述したようなドアや乗りかごに対する構造的な改良はコストがかかり、また、昇降路のサイズ的な制約などによっては適用できないことがある。さらに、エレベータの高速化が進み、快適化がますます要求される現状にあっては、このような構造的な改良だけでは、乗りかごの運転中に気流の乱れによって生じる騒音を効果的に低減することはできない。
【０００９】
本発明は上記のような点に鑑みなされたもので、構造的な改良をせずに、乗りかごの運転中に気流の乱れによって生じる騒音を効果的に低減することのできるエレベータ装置を提供することを目的とする。
【課題を解決するための手段】
【００１０】
本発明のエレベータ装置は、昇降路内を昇降動作する乗りかごと、この乗りかごに設けられ、各階の乗場に着床したときに開閉動作するかごドアと、上記各階の乗場に設けられ、上記かごドアに係合して開閉動作する乗場ドアと、上記かごドアの付近または上記乗場ドアの付近に設置され、一方向に気流を発生する複数の気流発生装置と、上記乗りかごの運転状態に応じて上記各気流発生装置を選択的に駆動する駆動制御手段とを具備したことを特徴とする。
【発明の効果】
【００１１】
本発明によれば、かごドアの付近または乗場ドアの付近に複数の気流発生装置を設置しておき、乗りかごの運転状態に応じて各気流発生装置を選択的に駆動することで、構造的な改良をせずに、運転中に気流の乱れによって生じる騒音を効果的に低減することができる。
【発明を実施するための最良の形態】
【００１２】
以下に、図面を参照して本発明の実施形態を説明する。
【００１３】
まず、本発明のエレベータ装置に適用される気流発生装置の構成について説明する。なお、気流発生装置としては、送風機から二次元噴流を噴射させる装置や、シンセティックジェットを利用した装置などがあるが、装置の小型化と制御性を考慮すると、放電プラズマを利用した気流発生装置が最適であると考えられる。
【００１４】
図１はプラズマ気流発生装置の構成を示す図である。  
この気流発生装置１０は、シート状の非導電体である誘電体バリア１１の表面側に第１の電極１２を、裏面側に第２の電極１３を配置し、それぞれの電極１２，１３間には交流電源１４が接続されている。ここで、電極１２，１３間に交流電源１４から交流電圧を印加すると、誘電体バリア１１の表面にシート状のプラズマ１５が生成される。このプラズマ１５により、一方向に流れる誘導噴流１６が生じる。この誘導噴流１６の発生量は、電極１２，１３間に印加する電圧値を制御することで調整される。
【００１５】
図２に他の気流発生装置の例としてブロアを利用したものを示す。  
この気流発生装置２０は、壁面２１の一部を切り欠き、その切り欠き部２１ａに誘導板２２を取り付け、裏面にブロア２３を設置したものである。ブロア２３を駆動すると、そこから吹き出した風２４は誘導板２２に当たり、誘導噴流２５として一方向に流れる。この誘導噴流２５の発生量は、ブロア２３を回転させるモータの電力制御により調整される。
【００１６】
以下では、図１に示したプラズマ気流発生装置をエレベータ装置に適用した場合を例にして説明する。
【００１７】
（第１の実施形態）
図３は本発明の第１の実施形態に係るエレベータ装置の構成を示す図であり、図３（ａ）はエレベータ装置の乗りかごの正面図、同図（ｂ）は昇降路内を走行する乗りかごを側面から見た図である。
【００１８】
本実施形態におけるエレベータ装置は、昇降路１１０内に設置された乗りかご１１１を備える。この乗りかご１１１は、図示せぬ巻上機の駆動によりロープ１１２を介して昇降路１１０内を昇降動作する。この乗りかご１１１の正面には、かごドア１１３が敷居１１４上を水平方向にスライド自在に設けられている。
【００１９】
このかごドア１１３の敷居１１４の下部には、所定の長さを有する板状のフェースプレート１１５が下降方向に向けて取り付けられている。このフェースプレート１１５は、通称「エプロン」と呼ばれるものであり、落下防止板として用いられる。
【００２０】
一方、昇降路１１０の各階の乗場１２０側には、乗場ドア１２１が敷居１２２上を水平方向にスライド自在に設けられている。この乗場ドア１２１は、乗りかご１１１が各階に停止したときにかごドア１１３に係合して開閉する。この乗場ドア１２１の敷居１２４の下部には、乗りかご側フェースプレート１１５と対面させて、所定の長さを有する板状のフェースプレート１２３が下降方向に向けて取り付けられている。
【００２１】
また、図中の１２４は昇降路１１０内に発生している上昇気流を示している。乗りかご１１１の運転中に、この上昇気流１２４によって以下のような問題が生じる。
【００２２】
（ａ）戸開閉中
図４に示すように、乗りかご１１１が各階の乗場１２０で着床したとき、乗りかご側フェースプレート１１５と乗場側フェースプレート１２３との間に隙間が形成される。ここで、ドア１１３，１２１が開閉したときに空気の逃げ場ができ、そこに昇降路１１０内で発生している上昇気流１２４の一部１２４ａが増速して流れ込み、そのときに笛吹き音のような騒音が発生する。また、フェースプレート１１５，１２３間の隙間から吹き出した上昇気流１２４ｂが乗りかご１１１を出入りしている乗客に当たって不快感を与える。
【００２３】
（ｂ）走行中
今、乗りかご１１１の下降時を想定する。  
図５に示すように、乗りかご１１１の下降時において、乗りかご１１１が乗場１２０の近傍を通過するときに、乗りかご側フェースプレート１１５と乗場側フェースプレート１２３との間に隙間が形成される。この隙間に乗りかご１１１の下端部から回り込んできた気流１２５が増速して流れ込み、ドア１１３，１２１付近で乱気流１２６として発生する。
【００２４】
この乱気流１２６は、空気力学的な加振力となってドア１１３，１２１を加振して騒音を発生させる。また、圧力変動が生じて、所謂「バフ音」と呼ばれる空力騒音が発生することもある。
【００２５】
乗りかご１１の上昇時でも同様である。この場合には、乗りかご１１１の上端部から回り込んできた気流が乗りかご側フェースプレート１１５と乗場側フェースプレート１２３との隙間に増速して流れ込むことで乱気流が発生する。
【００２６】
なお、一般的には乗りかご１１１の下降時の方が上昇時に比べて乱気流が発生し易い。これは、下降時には昇降路１１０内で発生している上昇気流１２４に向かって乗りかご１１１が移動するため、乗りかご１１１の下端部からドア正面に回り込んでくる気流が多いからである。
【００２７】
このような騒音問題を解決するため、乗りかご側フェースプレート１１５の乗場側との対向面に複数の気流発生装置１０ａ，１０ｂ，１０ｃ…が設けられている。これらの気流発生装置１０ａ，１０ｂ，１０ｃ…は、図１に示すような構造を有し、電極１２，１３間に電圧を印加することで、プラズマ１５の作用により、一方向に誘導噴流１６を発生する。
【００２８】
ここで、第１の実施形態では、図３（ａ）に示すように、１２個の気流発生装置１０ａ，１０ｂ，１０ｃ…が格子状に配列され、３個一列ずつに気流発生方向を乗りかご１１１の下降方向と上昇方向に交互に向けて配置されている。これらの気流発生装置１０は、セラミックなどの絶縁物を基盤としたモジュール構造で構成され、フェースプレート１１５にモジュール部分をねじ止めあるいは接着剤で固定されている。
【００２９】
次に、図６および図７を参照して、格子状に配置された気流発生装置１０ａ，１０ｂ，１０ｃ…の駆動方法について説明する。
【００３０】
図６は気流発生装置１０ａ，１０ｂ，１０ｃ…の制御系の構成を示したブロック図である。
【００３１】
エレベータの制御装置３０は、ビルの機械室などに設置されている。この制御装置３０は、ＣＰＵ、ＲＯＭ、ＲＡＭなどを搭載したコンピュータによって構成され、所定のプログラムの起動によりエレベータ全体の運転制御を行うと共に、ここではかごドア１１３の開閉制御と気流発生装置１０ａ，１０ｂ，１０ｃ…の駆動制御を行う。
【００３２】
かご位置検出装置３１は、図示せぬパルスエンコーダから巻上機の回転に同期して出力されるパルス信号に基づいて、昇降路１１０内の乗りかご１１１の位置をリアルタイムで検出する。
【００３３】
ドア駆動装置３２は、制御装置３０からの駆動指示に従って、図示せぬドアモータを駆動してかごドア１１３を戸開する。なお、駆動源であるドアモータはかごドア１１３側にあり、乗場ドア１２１はかごドア１１３に係合して開閉動作するようになっている。
【００３４】
気流駆動装置３３は、制御装置３０からの駆動指示に従って、気流発生装置１０ａ，１０ｂ，１０ｃ…を駆動する。この気流駆動装置３３は、気流発生装置１０ａ，１０ｂ，１０ｃ…の駆動に必要な電力を供給するためのバッテリなどを備える。
【００３５】
ここで、気流発生装置１０ａ，１０ｂ，１０ｃ…を気流発生方向の向きによってＡグループとＢグループに分けた場合に、気流駆動装置３３は、乗りかご１１１の運転状態に応じて、これらの気流発生装置１０ａ，１０ｂ，１０ｃ…をＡグループとＢグループで個別に駆動する。
【００３６】
なお、乗りかご１１１の運転状態には、下降運転と上昇運転の他に、各階で停止して戸開閉する状態を含むものとする。また、Ａグループには、乗りかご１１１の上昇方向に誘導噴流１６を発生する気流発生装置１０ａ〜１０ｃ，１０ｄ〜１０ｆが属する。Ｂグループには、乗りかご１１１の下降方向に誘導噴流１６を発生する気流発生装置１０ｇ〜１０ｉ，１０ｊ〜１０ｌが属する。
【００３７】
これらは、図３（ａ）のかご正面図で言うと、フェースプレート１１５上に３個一列ずつ配置されており、向かって右から「気流発生装置１０ａ〜１０ｃ」，「気流発生装置１０ｇ〜１０ｉ」，「気流発生装置１０ｄ〜１０ｆ」，「気流発生装置１０ｊ〜１０ｌ」といったように気流発生向きを交互にして配置されている。
【００３８】
図７は制御装置３０による気流発生装置１０ａ，１０ｂ，１０ｃ…の駆動制御を示すフローチャートである。
【００３９】
昇降路１１０内に設置された乗りかご１１１は、乗場呼びまたはかご呼びに応答して目標の階床に移動する。なお、「乗場呼び」とは、各階の乗場に設置された図示せぬ乗場呼び釦の操作により登録される呼びの信号であり、登録階と行先方向の情報を含む。「かご呼び」とは、かご室内に設けられた図知せぬ行先呼び釦の操作により登録される呼びの信号であり、行き先階の情報を含む。
【００４０】
制御装置３０は、かご位置検出装置３１によって乗りかご１１１が目的階に着床したことを検出すると、ドア駆動装置３２を通じてかごドア１１３を開閉動作する。このかごドア１１３の開閉動作に連動して、当該階床の乗場１２０に設けられた乗場ドア１２１も開閉する。
【００４１】
ここで、かごドア１１３と乗場ドア１２１が開閉中にあるとき（ステップＳ１１のＹｅｓ）、制御装置３０は、気流駆動装置３３を通じてＢグループに属する気流発生装置１０ｇ〜１０ｉ，１０ｊ〜１０ｌを駆動して、乗りかご１１１の下降方向に誘導噴流１６を発生させる（ステップＳ１３）。これにより、戸開閉中にフェースプレート１１５，１２３間の隙間に流れ込む上昇気流１２４ａを堰き止めて、笛吹音の発生や乗客に風が当たることを防ぐことができる。
【００４２】
一方、乗りかご１１１が走行中にあるときには、そのときの運転方向によって、以下のような駆動制御がなされる。
【００４３】
すなわち、乗りかご１１１が下降方向に走行している場合には（ステップＳ１２のＹｅｓ）、制御装置３０は、Ａグループに属する気流発生装置１０ａ〜１０ｃ，１０ｄ〜１０ｆを駆動して、乗りかご１１１の上昇方向に誘導噴流１６を発生させる（ステップＳ１４）。
【００４４】
図８（ａ）に示すように、乗りかご１１１の下降時には、乗りかご１１１の下端部からドア正面に回り込んでくる気流１２５が乗りかご側フェースプレート１１５と乗場側フェースプレート１２３との間に形成された隙間に増速して流れ込む。特に、乗りかご１１１の下降時には、上昇気流１２４の影響を受けるので、気流１２５はさらに増速して流れ込むことになる。
【００４５】
ここで、気流発生装置１０ａ〜１０ｃ，１０ｄ〜１０ｆから誘導噴流１６をフェースプレート１１５，１２３間の隙間に送り込むことで、そこに流れ込んで来る気流１２５の増速が抑えられ、スムーズに乗りかご１１１の上端方向へ流すことができる。その結果、ドア１１３，１２１付近で発生する乱気流が緩和され、ドア騒音や空力騒音（バフ音）の発生を防ぐことができる。
【００４６】
また、乗りかご１１１が上昇方向に走行している場合には（ステップＳ１２のＮｏ）、制御装置３０は、Ｂグループに属する気流発生装置１０ｇ〜１０ｉ，１０ｊ〜１０ｌを駆動して、乗りかご１１１の下降方向に誘導噴流１６を発生させる（ステップＳ１５）。
【００４７】
図８（ｂ）に示すように、乗りかご１１１の上昇時には、乗りかご１１１の上端部からドア正面に回り込んでくる気流１２７が乗りかご側フェースプレート１１５と乗場側フェースプレート１２３との間に形成された隙間に増速して流れ込む。
【００４８】
ここで、上記乗りかご１１１の下降時と同様に、気流発生装置１０ｇ〜１０ｉ，１０ｊ〜１０ｌから誘導噴流１６をフェースプレート１１５，１２３間の隙間に送り込むことで、そこに流れ込んで来る気流１２７の増速が抑えられ、スムーズに乗りかご１１１の下端方向へ流すことができる。その結果、ドア１１３，１２１付近で発生する乱気流が緩和され、ドア騒音や空力騒音（バフ音）の発生を防ぐことができる。
【００４９】
このように、乗りかご側フェースプレート１１５に複数の気流発生装置１０ａ，１０ｂ，１０ｃ…を気流発生方向の向きを変えて設置しておき、これらを乗りかご１１１の運転状態に応じて選択的に駆動することで、戸開閉時や走行中に発生する騒音を効果的に低減することができる。
【００５０】
なお、上記第１の実施形態では、乗りかご側に複数の気流発生装置１０ａ，１０ｂ，１０ｃ…を設置する構成としたが、乗場側に設置することでも良い。図９に乗場側に設置した場合の例を示す。この場合、乗場側フェースプレート１２３に複数の気流発生装置１０ａ，１０ｂ，１０ｃ…が気流発生方向の向きを変えて配置される。このような構成であっても上記同様の効果が得られる。ただし、各階の乗場１２０のすべてに気流発生装置１０ａ，１０ｂ，１０ｃ…を設置することはコスト的な問題があるため、例えば騒音の激しい階床のみに限定して設置することが好ましい。
【００５１】
また、かご位置検出装置３１によって検出されるかご位置の情報に基づいて、乗りかご１１１が各階の乗場１２０を通過するときに気流発生装置１０ａ，１０ｂ，１０ｃ…を駆動することでも良い。このようにすれば、消費電力の節約にも寄与できる。
【００５２】
（第２の実施形態）
次に、本発明の第２の実施形態について説明する。
【００５３】
第２の実施形態では、上記第１の実施形態とは気流発生装置１０ａ，１０ｂ，１０ｃ…の配置が異なり、気流発生方向をそれぞれに異なる方向に向けて配置するようにしたものである。
【００５４】
図１０は本発明の第２の実施形態に係るエレベータ装置の昇降路側から見た乗場ドアの構成を示す図である。なお、ここでは乗場ドアの構成だけを取り出して示すが、乗りかご等の全体的な構成については、気流発生装置の設置箇所を除いて図３と同様であるため、ここでは省略する。
【００５５】
第２の実施形態では、各階床の中で騒音が激しい階（Ｘ階と称す）を対象として、そのＸ階の乗場側フェースプレート１２３の表面（乗りかご１１１との対向面）に複数の気流発生装置１０ａ，１０ｂ，１０ｃ…が設置されている。
【００５６】
ここで、気流発生装置１０ａ，１０ｂ，１０ｃ…は、少なくとも乗りかご１１１の上昇方向と下降方向を含む各方向に誘導噴流１６を発生させるように、それぞれに向きを変えて配置されている。具体的には、図１０の例のように、それぞれに気流発生方向を外側に向けて放射状に誘導噴流１６を発生させるように円弧状に配置されている。
【００５７】
また、これらの気流発生装置１０ａ，１０ｂ，１０ｃ…と同一面上に高性能のマイク３４が設置されており、このマイク３４を通じてドア周辺の騒音を測定するようになっている。
【００５８】
次に、図１１乃至図１３を参照して、各方向に向けて配置された気流発生装置１０ａ，１０ｂ，１０ｃ…の駆動方法について説明する。
【００５９】
図１１は第２の実施形態における気流発生装置１０ａ，１０ｂ，１０ｃ…の制御系の構成を示したブロック図である。図１１において、上記第１の実施形態における図６と同じ部分には同一符号を付して、その説明は省略するものとする。
【００６０】
第２の実施形態において、制御装置３０にはマイク３４と記憶装置３５が接続されている。マイク３４は、ドア周辺の騒音レベルを測定し、その測定信号を制御装置３０に出力する。
【００６１】
記憶装置３５には、駆動パターン記憶部３５ａ、設定パターン記憶部３５ｂ、騒音記憶部３５ｃが設けられている。駆動パターン記憶部３５ａには、気流発生装置１０ａ，１０ｂ，１０ｃ…を駆動するための複数のパターンが予め記憶されている。設定パターン記憶部３５ｂには、これらのパターンの中から選出された最適パターンが記憶される。騒音記憶部３５ｃには、マイク３４を通じて測定された騒音のレベルが記憶される。
【００６２】
図１２は記憶装置３５に設けられた駆動パターン記憶部３５ａの一例を示す図である。この駆動パターン記憶部３５ａには、気流発生装置１０ａ，１０ｂ，１０ｃ…を駆動するための複数のパターン１，２，３…が記憶されている。
【００６３】
今、気流発生装置１０ａ，１０ｂ，１０ｃ…の識別子をＤ１〜Ｄ８で表わすと、例えばパターン１，２，３…は以下のように設定されている。なお、「ＭＡＸ」は気流発生装置を最大レベルで駆動、「ＭＩＮ」は気流発生装置を最小レベルで駆動することを意味している。
【００６４】
パターン１：Ｄ１をＭＡＸ，Ｄ２〜Ｄ８をＭＩＮで駆動    
パターン２：Ｄ１をＭＩＮ，Ｄ２をＭＡＸ，Ｄ３〜Ｄ８をＭＩＮで駆動
パターン３：Ｄ１とＤ２をＭＩＮ，Ｄ３をＭＡＸ，Ｄ４〜Ｄ８をＭＩＮで駆動。
【００６５】
このような構成において、乗りかご１１１がＸ階の乗場１２０を通過するときに、気流発生装置１０ａ，１０ｂ，１０ｃ…を駆動して各方向から誘導噴流１６を発生する。その際、気流発生装置１０ａ，１０ｂ，１０ｃ…の駆動パターンを変えることで、最も騒音低減効果があった駆動パターンを最終的に使用するものとする。
【００６６】
具体的には、以下のような処理を行う。  
図１３は第２の実施形態における制御装置３０による気流発生装置１０ａ，１０ｂ，１０ｃ…の駆動パターンの選出処理を示すフローチャートである。
【００６７】
今、乗りかご１１１が上昇方向あるいは下降方向に走行中に、Ｘ階の乗場１２０を通過するものとする。図１０に示したように、Ｘ階の乗場１２０のフェースプレート１２３には、複数の気流発生装置１０ａ，１０ｂ，１０ｃ…がそれぞれに向きを変えて配置されている。
【００６８】
ここで、乗りかご１１１がＸ階の乗場１２０を通過したときに、制御装置３０は、まず、駆動パターン記憶部３５ａに記憶されたパターン１で気流発生装置１０ａ，１０ｂ，１０ｃ…を駆動する（ステップＳ２１）。この場合、図１２に示すように、パターン１では、識別子Ｄ１の気流発生装置１０ａから乗りかご１１１の上昇方向に発生される誘導噴流１６の量が最も多く設定されている。制御装置３０は、このときのドア周辺の騒音レベルをマイク３４により測定し、その結果を騒音記憶部３５ｃに保持しておく（ステップＳ２２）。
【００６９】
次に、再び乗りかご１１１がＸ階の乗場１２０を通過したときには、制御装置３０は、駆動パターン記憶部３５ａに記憶されたパターン２で気流発生装置１０ａ，１０ｂ，１０ｃ…を駆動する（ステップＳ２３）。そして、制御装置３０は、このときの騒音レベルをマイク３４により測定し、その結果を騒音記憶部３５ｃに保持しておく（ステップＳ２４）。
【００７０】
このようにして、乗りかご１１１がＸ階の乗場１２０を通過する度に、気流発生装置１０ａ，１０ｂ，１０ｃ…の駆動パターンを変えて、そのときのドア周辺の騒音レベルを測定する。そして、予め設定された回数分の測定結果が騒音記憶部３５ｃに記憶されたときに、制御装置３０は、その中から最も騒音レベルの低かったパターンを最も騒音低減効果のあるパターンとして選択し（ステップＳ２５）、これを最適パターンとして設定パターン記憶部３５ｂに記憶する（ステップＳ２６）。
【００７１】
以後、制御装置３０は、乗りかご１１１がＸ階の乗場１２０を通過するときに、設定パターン記憶部３５ｂに記憶された最適パターンで気流発生装置１０ａ，１０ｂ，１０ｃ…を駆動する。
【００７２】
なお、図１３に示した駆動パターンの選出処理は、例えば月単位で定期的に実行しても良いし、図示せぬスイッチの操作によりパターン選出モードを設定するなどして、任意のタイミングで実行しても良い。
【００７３】
このように、乗場側フェースプレート１２３に複数の気流発生装置１０ａ，１０ｂ，１０ｃ…を気流発生方向の向きを変えて設置しておき、これらを予め設定された複数のパターンで選択的に駆動し、その中で最も騒音低減効果のあるパターンを最終的に使用することで、乗りかご１１１が乗場１２０を通過するときに生じるドア騒音や空力騒音（バフ音）を効果的に低減することができる。
【００７４】
なお、乗りかご１１１がＸ階の乗場１２０で着床して戸開閉するときには、気流発生装置１０ａ，１０ｂ，１０ｃ…の中で気流発生方向が乗りかご１１１の下降方向に設置された気流発生装置を使用するものとする。
【００７５】
すなわち、図１０の例で言えば、乗りかご１１１がＸ階の乗場１２０で着床して戸開閉するときに、制御装置３０は、気流駆動装置３３を通じて気流発生装置１０ｅあるいは気流発生装置１０ｄ〜１０ｆを駆動する。これにより、上記第１の実施形態と同様に、フェースプレート１１５，１２３間への上昇気流の流入を堰き止めることができ、笛吹音の発生を防止でき、さらに、乗りかご１１１を出入りしている乗客に上昇気流が当たることを防止できる。
【００７６】
なお、図１０の例では、気流発生装置１０ａ，１０ｂ，１０ｃ…を円弧状に配置したが、必ずしも円弧状に配置する必要はなく、少なくとも乗りかご１１１の上昇方向と下降方向を含んで、各方向に気流発生方向が向くような配置であれば、どのような配置であっても良い。
【００７７】
また、上述したような最適な駆動パターンを学習する手段は、気流発生装置１０ａ，１０ｂ，１０ｃ…が円弧状に配置されたものに限らず、どのような形であれ、多数配置された構成であれば同様に適用可能である。
【００７８】
また、ここでは、特定の階（Ｘ階）に気流発生装置１０ａ，１０ｂ，１０ｃ…を設置するものとして説明したが、各階のすべてに気流発生装置１０ａ，１０ｂ，１０ｃ…に設置して、各階別に最適パターンを選出して駆動するような構成も可能である。
【００７９】
なお、上記第２の実施形態では、乗場側に複数の気流発生装置１０ａ，１０ｂ，１０ｃ…を設置する構成としたが、乗りかご側に設置することでも良い。図１４に乗りかご側に設置した場合の例を示す。この場合、乗りかご側フェースプレート１１５に複数の気流発生装置１０ａ，１０ｂ，１０ｃ…が各方向に向けて配置される。このような構成であっても上記同様の効果が得られる。また、乗りかご側に気流発生装置１０ａ，１０ｂ，１０ｃ…を設けた方が、どの階にでも対応することができるので効率的である。
【００８０】
また、上記各実施形態では、乗りかご側フェースプレート１１５あるいは乗場側フェースプレート１２３に気流発生装置１０ａ，１０ｂ，１０ｃ…を設けるものとしたが、かごドア１１３付近または乗場ドア１２１付近であれば、同様の効果を得ることができる。
【００８１】
さらに、気流発生装置としては、プラズマ気流発生装置に限らず、ブロアを利用した気流発生装置など、気流を発生できるものであれば、どのようなものであっても良い。
【００８２】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００８３】
【図１】図１は本発明のエレベータ装置に用いられるプラズマ気流発生装置の構成を示す図である。
【図２】図２は本発明のエレベータ装置に用いられる他の気流発生装置としてブロアを利用した気流発生装置の構成を示す図である。
【図３】図３は本発明の第１の実施形態に係るエレベータ装置の構成を示す図であり、図３（ａ）はエレベータ装置の乗りかごの正面図、同図（ｂ）は昇降路内を走行する乗りかごを側面から見た図である。
【図４】図４は同実施形態におけるエレベータ装置の戸開閉中の気流の状態を説明するための図である。
【図５】図５は同実施形態におけるエレベータ装置の乗りかごが下降しているときの気流の状態を説明するための図である。
【図６】図６は同実施形態における気流発生装置の制御系の構成を示したブロック図である。
【図７】図７は同実施形態における気流発生装置の駆動制御を示すフローチャートである。
【図８】図８は同実施形態における気流発生装置の作用効果を説明するための図であり、図８（ａ）は乗りかごの下降時、同図（ｂ）は乗りかごの上昇時の気流発生方向を示す図である。
【図９】図９は同実施形態における気流発生装置を乗場側に設置した場合の例を示す図である。
【図１０】図１０は本発明の第２の実施形態に係るエレベータ装置の昇降路側から見た乗場ドアの構成を示す図である。
【図１１】図１１は同実施形態における気流発生装置の制御系の構成を示したブロック図である。
【図１２】図１２は同実施形態における記憶装置に設けられた駆動パターン記憶部の一例を示す図である。
【図１３】図１３は同実施形態における気流発生装置の駆動パターンの選出処理を示すフローチャートである。
【図１４】図１４は同実施形態における気流発生装置を乗りかご側に設置した場合の例を示す図である。
【符号の説明】
【００８４】
１０…気流発生装置、１１…誘電体バリア、１２，１３…電極、１４…交流電源、１５…プラズマ、１６…誘導噴流、２０…気流発生装置、２１…壁面、２１ａ…切り欠き部、２２…誘導板、２３…ブロア、２４…吹き出し風、２５…誘導噴流、３０…制御装置、３１…かご位置検出装置、３２…ドア駆動装置、３３…気流駆動装置、３４…マイク、３５…記憶装置、３５ａ…駆動パターン記憶部、３５ｂ…設定パターン記憶部、３５ｃ…騒音記憶部、１１０…昇降路、１１１…乗りかご、１１２…ロープ、１１３…かごドア、１１４…敷居、１１５…フェースプレート、１２０…乗場、１２１…乗場ドア、１２２…敷居、１２３…フェースプレート、１２４，１２４ａ，１２４ｂ…上昇気流、１２５，１２７…気流、１２６…乱気流。
【図１】
2010155693.tif 000003
【図２】
2010155693.tif 000004
【図３】
2010155693.tif 000005
【図４】
2010155693.tif 000006
【図５】
2010155693.tif 000007
【図６】
2010155693.tif 000008
【図７】
2010155693.tif 000009
【図８】
2010155693.tif 000010
【図９】
2010155693.tif 000011
【図１０】
2010155693.tif 000012
【図１１】
2010155693.tif 000013
【図１２】
2010155693.tif 000014
【図１３】
2010155693.tif 000015
【図１４】
2010155693.tif 000016